(57)【要約】【課題】光ディスクに記録されたオーディオデータを特殊再生する場合、アナログレコードプレーヤで特殊再生を行う場合と同様の操作により特殊再生を行うことができると共に、操作円盤部の回転操作に対する制動力を容易に調整することができる光ディスク再生装置を提供する。【解決手段】操作円盤部が円盤部と同じ予め定められた速度で回転しているとき、通常再生をし操作円盤部を回転操作することにより、操作円盤部の回転速度及び方向を検出してスクラッチ再生等の特殊再生をする。円盤部は、予め定められた速度で回転しているため、操作円盤部の操作終了後、操作円盤部は、直ちに予め定められた速度で回転を再開し、通常再生に戻ることができる。保持部は、操作円盤部を押圧する力を調整することができる制動部を備える。【選択図】  図２
2004303295.tif 000002
【特許請求の範囲】
【請求項１】
光ディスクに記録されたオーディオデータを再生する再生部と、前記再生部が再生したオーディオデータを記憶する記憶部と、前記記憶部に記憶されたオーディオデータの読み出し速度及び読み出し順序を指示する読出指示部とを備えた光ディスク再生装置において、
前記読出指示部は、操作円盤部と、前記操作円盤部を載置する円盤部と、前記円盤部を回転駆動する駆動部と、前記操作円盤部の回転速度及び回転方向を検出して第１の制御信号を発生する第１検出部とを備え、前記第１の制御信号により前記記憶部に記憶されたオーディオデータの読み出し速度及び読み出し順序を制御する制御部と、前記操作円盤部が回転操作されるとき、前記操作円盤部の回転に制動力をかける制動部を更に備えたことを特徴とする光ディスク再生装置。
【発明の詳細な説明】
【０００１】
【発明の属する技術分野】
本発明は、光ディスクから再生したオーディオデータをメモリに記憶し、メモリに記憶したオーディオデータの読み出し速度及び読み出し順序を変えることができる光ディスク再生装置に関する。
【０００２】
【従来の技術】
オーディオ再生装置を操作してオーディオデータを再生するＤＪ（Ｄｉｓｃ  Ｊｏｃｋｅｙ）は、アナログレコード又はＣＤ（Ｃｏｍｐａｃｔ  Ｄｉｓｃ）等の光ディスクに記録されたオーディオデータを再生している最中に、擦れ音のような効果音を発生させるスクラッチ再生と呼ばれる特殊再生を行うことがある。ＤＪは、アナログレコードプレーヤを用いてスクラッチ再生を行う場合、アナログレコードを素早く正方向又は逆方向に回すことにより擦れ音を発生させる。また、このアナログレコードプレーヤによるスクラッチ再生と同様の特殊再生を行うことが可能なＤＪ用ＣＤプレーヤがある。このＤＪ用ＣＤプレーヤは、ジョグダイヤルとメモリを備え、ＣＤから再生したオーディオデータをメモリに記憶し、ジョグダイヤルを正方向又は逆方向に回転することにより、メモリに記憶されたオーディオデータの読み出し速度と読み出し順序を制御し、アナログレコードによる擦れ音と同等の効果音を発生させる。このように、ＤＪは、ＣＤに記録されたオーディオデータを再生しているとき、ジョグダイヤルをアナログレコードと同じように回転操作することにより、アナログレコードと同様のスクラッチ再生等の特殊再生を行うことができる。（例えば、特許文献１参照。）
【０００３】
また、本出願人は、ＣＤに記録されたオーディオデータを標準速度で再生しているとき、ジョグダイヤルが回転し、回転しているジョグダイヤルを正方向又は逆方向に回転操作することにより、アナログレコードプレーヤと同様のスクラッチ再生等の特殊再生を行うことができる光ディスク再生装置を先に提案した（特願２００２−１５３５１４号）。
【０００４】
【特許文献１】
特開２００１−３１２８５７号公報
【０００５】
【発明が解決しようとする課題】
アナログレコードを回転操作してスクラッチ再生等の特殊再生を行うことができるアナログレコードプレーヤでは、アナログレコードがターンテーブル上で滑りやすくするために、ターンテーブル上にスリップマットが置かれている。ＤＪは、アナログレコードを回転操作しやすくするために、このスリップマットの材質や厚さを変えて、スリップマットがアナログレコードの回転操作による回転に対する制動力（摩擦力）を調整していた。
【０００６】
特許文献１に開示されているようなＤＪ用ＣＤプレーヤでは、ジョグダイヤルを回転操作するとき、ジョグダイヤルの回転に対して一定の制動力を付加するのみであり、ＤＪは、ジョグダイヤルを回転操作しやすい制動力に調整することができなかった。このため、ＤＪは、アナログレコードを用いて特殊再生を行う場合と同様の回転操作の感覚（アナログレコードを手で回転させる力加減）で、ＤＪ用ＣＤプレーヤのジョグダイヤルを回転操作することができないという課題があった。また、上述した本出願人が先に提案した光ディスク再生装置でも、ＤＪは、回転操作によるジョグダイヤルの回転に対する制動力を調整することが容易にできなかった。
【０００７】
本発明は、本出願人が先に提案した光ディスク再生装置を改良し、アナログレコードプレーヤと同様の操作により特殊再生を行うことができると共に、操作円盤部の回転操作に対する制動力を容易に調整することができる光ディスク再生装置を提供することを目的とする。
【０００８】
【課題を解決する手段】
上記の課題を解決するために、本願の請求項１記載の発明は、光ディスクに記録されたオーディオデータを再生する再生部と、前記再生部が再生したオーディオデータを記憶する記憶部と、前記記憶部に記憶されたオーディオデータの読み出し速度及び読み出し順序を指示する読出指示部とを備えた光ディスク再生装置において、前記読出指示部は、操作円盤部と、前記操作円盤部を載置する円盤部と、前記円盤部を回転駆動する駆動部と、前記操作円盤部の回転速度及び回転方向を検出して第１の制御信号を発生する第１検出部とを備え、前記第１の制御信号により前記記憶部に記憶されたオーディオデータの読み出し速度及び読み出し順序を制御する制御部と、前記操作円盤部が回転操作されるとき、前記操作円盤部の回転に制動力をかける制動部を更に備えたことを特徴とする。
【０００９】
【発明の実施の形態】
以下、本発明の実施の形態を図面に基づいて説明する。
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はＲＡＭ（Ｒａｎｄｏｍ  Ａｃｃｅｓｓ  Ｍｅｍｏｒｙ）、９はＤＡＣ（Ｄｉｇｉｔａｌ  ｔｏ  Ａｎａｌｏｇ  Ｃｏｎｖｅｒｔｅｒ）、１０はアンプ、１１は出力端子、１２は制御部、１３は表示部、１４は操作部を示す。本発明の一実施例である光ディスク再生装置は、操作部１４に読出指示部としてのジョグダイヤル部を備え、ジョグダイヤル部の回転速度及び回転方向に応じて、ＣＤから再生しＲＡＭ８に記憶されたデジタルオーディオデータの読み出し速度及び読み出し順序を変えることができるＤＪ用のＣＤプレーヤである。
【００１０】
スピンドルモータ２に固定されたターンテーブル１は、ＣＤを固定する。操作部１４から再生開始の指示が入力されると、サーボ制御部３は、スピンドルモータ２を所定の線速度で回転駆動させる制御をする。また、サーボ制御部３は、光ピックアップ４からのレーザ光をＣＤのピット列を正しくトレースするために、図示しないフォーカスサーボ回路とトラッキングサーボ回路を制御する。
【００１１】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００１２】
メモリ制御部７は、入力されたデジタルオーディオデータをＲＡＭ８に入力するよう制御する。ＲＡＭ８は、入力されたデジタルオーディオデータを記憶する。ＲＡＭ８が記憶したデジタルオーディオデータは、メモリ制御部７の制御により読み出されＤＡＣ９に入力される。
【００１３】
ＤＡＣ９は、デジタルオーディオデータをアナログオーディオ信号に変換しアンプ１０に入力する。ＤＡＣ９から入力されたアナログオーディオ信号は、アンプ１０により増幅され出力端子１１に接続したスピーカ等から出力される。
【００１４】
表示部１３は、現在再生しているトラックの再生時間、トラックナンバー等を表示する。操作部１４は、ジョグダイヤル部、再生ボタン、再生停止ボタン、イジェクトボタンを備えている。
【００１５】
図２は、本発明の一実施例であるＣＤプレーヤの操作部１４が備えるジョグダイヤル部の側断面を示す図である。図２において、２１はパネル、２２はモータ、２３は回転軸、２４はプーリ、２５はプーリ部、２６はベルト、２７は円盤部、２８はプーリ部、２９はシート部、３０は操作円盤部、３１は保持部、３２は回転軸、３３は第２光センサ部、３４はスケール保持部、３５はスケール部、３６は第１光センサ部、３７はスケール保持部、３８はスケール部、３９はワッシャー、４０はネジ、４１は軸受け、４２はＥリング、４３は凸部、４４は凹部、４５は軸受け、４６は軸受けを示す。本実施例のＣＤプレーヤでは、操作円盤部３０は、直径１０ｃｎ〜３０ｃｍのアナログレコードと同等の大きさであり、ＣＤプレーヤの上面に取り付けられている。
【００１６】
本実施例のＣＤプレーヤは、パネル２１にモータ２２がネジ４０で取り付けられている。パネル２１は、軸受け４１をインサート成形、すなわち一体成形（以下同じ）により形成している。モータ２２の回転軸２３には、プーリ２４が取り付けられている。モータ２２の回転軸２３に取り付けられたプーリ２４のプーリ部２５と円盤部２７のプーリ部２８にベルト２６が掛けられている。
【００１７】
円盤部２７の回転状態を検出するためのスケール部３８は、円盤部２７の裏面に取り付けられたスケール保持部３７にネジ４０で固定されている。第１光センサ部３６は、ネジ４０でパネル２１に固定されている。また、スケール保持部３７は、軸受け４５と一体成形により形成されている。スケール保持部３７は、パネル２１の軸受け４１に挿入され、Ｅリング４２により保持されている。円盤部２７の裏面には、上述したプーリ部２８が環状に設けられている。
【００１８】
操作円盤部３０の保持シャフトである回転軸３２には、軸受け４６が一体成形により形成されている。回転軸３２は、パネル２１の軸受け４１にワッシャー３９を介して挿入され保持されている。
【００１９】
操作円盤部３０の回転状態を検出するためのスケール部３５は、スケール保持部３４にネジ４０で固定されている。スケール保持部３４は、ワッシャー３９を介して回転軸３２に挿入されている。第２光センサ部３３は、ネジ４０でパネル２１に固定されている。シート部２９は、円盤部２７の上面に載置されている。このシート部２９は、摩擦係数が小さく、静電気が発生しにくいプラスチックまたはプラスチック繊維からなる。操作円盤部３０は、シート部２９の上面に載置されている。保持部３１は、操作円盤部３０の上面に載置されており、保持部３１に設けられた凹部４４に操作円盤部３０に設けられた凸部４３を挿入することにより、シート部２９及び操作円盤部３０を保持する。したがって、ＤＪの回転操作による操作円盤部３０の回転状態は、回転軸３２を介して、スケール保持部３４に取り付けられたスケール部３５に伝達され、操作円盤部３０とスケール部３５は一体的に回転する。
【００２０】
図３は、第２光センサ部３３及びスケール部３５を説明する図である。図３（ａ）は、スケール部３５の上面を示す図であり、図３（ｂ）は、図３（ａ）の点線円内の部分を拡大した図である。
図３（ａ）に示すように、スケール部３５の外周部には、等間隔に長方形状のスリット部３５ａが設けられている。スケール部３５の材質が金属の場合、スリット部３５ａは、長方形状の開口部にする。しかし、開口部の形状は、長方形に限られるものではなく、適宜の形状でよい。また、スケール部３５として材質が透明又は半透明のプラスチックなどが用いられている場合は、スリット部３５ａを印刷によって形成する。この場合、スリット部３５ａの印刷塗料にカーボンを含ませると、第２光センサ部３３によるスリット部３５ａを検出する精度が向上する。また、スケール部３８は、スケール部３５と同様にその外周部に等間隔に長方形状のスリット部が設けられている。
【００２１】
第２光センサ部３３は、図３（ｂ）に示すように、操作円盤部３０と一体的に回転するスケール部３５の回転方向を検出するために、２つの光センサ３３ａ及び３３ｂから構成され、スリット部３５ａを検出できるようにパネル２１の裏面に固定されている。また、第１光センサ部３６は、第２光センサ部３３と同様に２つの光センサから構成され、スリット部を検出できるようにパネル２１の上面に固定されている。
【００２２】
第１光センサ部３６は、スケール部３８のスリット部を検出し、円盤部２７の回転状態（回転角度及び回転方向）に応じた第１パルス信号を発生し、制御部１２に入力する。また、第２光センサ部３３は、スケール部３５のスリット部３５ａを検出し、操作円盤部３０の回転状態に応じた第２パルス信号を発生し制御部１２に入力する。
【００２３】
制御部１２は、第１光センサ部３６から入力された第１パルス信号から、円盤部２７の回転速度を予め定められた速度に保つようにモータ２２を制御する。また、制御部１２は、第２光センサ部３３から入力される第２パルス信号に応じて、ＲＡＭ８に記憶されたデジタルオーディオデータの読み出す速度及び方向を判別しメモリ制御部７を制御する。
【００２４】
本実施例のＣＤプレーヤは、ＣＤに記録されたオーディオデータを再生する場合、モータ２２は、予め定められた速度（例えば、アナログレコードプレーヤの再生時におけるターンテーブルの角速度）で回転する。モータ２２の駆動力は、プーリ部２５とプーリ部２８にかけられているベルト２６に伝達されて円盤部２７が回転することにより、シート部２９、操作円盤部３０、スケール部３５及びスケール部３８は、円盤部２７と同じ速度で回転する。ここで、操作円盤部３０は、円盤部２７の回転に追従できるように表面積を大きくし、材質、厚みを調整することにより、載置されているシート部２９が小さい摩擦係数であっても、円盤部２７と同じ回転速度で回転を開始するように、自重と慣性モーメントとを小さくなるように設計されている。モータ２２の回転方向は、アナログレコードプレーヤのターンテーブルの回転方向（右回り）と同じ方向である。このため、本実施例のＣＤプレーヤでは、アナログレコードを用いて特殊再生を行う操作と同様の操作をすることができる。
【００２５】
先ず、予め定められた速度で回転している操作円盤部３０を停止する場合における、本実施例のＣＤプレーヤの再生動作について説明する。
【００２６】
ＤＪは、予め定められた速度で回転している操作円盤部３０に手を乗せ、回転速度を徐々に低くする。このとき、円盤部２７は、シート部２９の摩擦係数が小さいため、操作円盤部３０の回転速度に影響されることなく、予め定められた回転速度で回転する。操作円盤部３０の回転速度が変化すると、第２光センサ部３３から一定時間に発生する第２パルス信号のパルス数は、操作円盤部３０の回転速度に応じて変化する。制御部１２は、第２光センサ部３３から一定時間に入力された第２パルス信号のパルス数から操作円盤部３０の回転速度を判別する。制御部１２は、判別した回転速度に応じてメモリ制御部７を制御する。メモリ制御部７は、ＲＡＭ８からデジタルオーディオデータを読み出す速度を低くする制御をする。
【００２７】
操作円盤部３０の回転が停止したとき、第２光センサ部３３は、制御部１２に第２パルス信号を入力しない。制御部１２は、第２光センサ部３３から第２パルス信号の入力がない場合、メモリ制御部７にＲＡＭ８からデジタルオーディオデータの読み出しを停止する制御をする。
【００２８】
ＤＪが操作円盤部３０から手を離し操作が終了すると、操作円盤部３０は、円盤部２７が予め定められた速度で回転しているので、直ちに、予め定められた速度で回転を再開する。操作円盤部３０が予め定められた速度で回転を再開すると、制御部１２は、メモリ制御部７に通常再生時の読み出し速度でＲＡＭ８からデジタルオーディオデータを読み出す制御をする。
【００２９】
また、ＤＪは、予め定められた速度で回転している操作円盤部３０を手で予め定められた速度より速く回転させて回転速度を徐々に高くする場合、制御部１２は、第２光センサ部３３から一定時間に入力された第２パルス信号のパルス数に応じて、メモリ制御部７にＲＡＭ８から読み出すデジタルオーディオデータの速度を高くする制御をする。
【００３０】
次に、操作円盤部３０を定められた速度で回転している方向と逆方向に回転させる場合における、本実施例のＣＤプレーヤの再生動作について説明する。
【００３１】
ＤＪは、手で予め定められた速度で回転している操作円盤部３０を逆方向（左回り）に回転させる。このとき、円盤部２７は、シート部２９の摩擦係数が小さいため、操作円盤部３０の回転速度及び方向に影響されることなく、予め定められた速度で回転することができる。第２光センサ部３３は、２つの光センサ３３ａ及び３３ｂを備えており、操作円盤部３０の回転方向が変化すると、この２つの光センサ３３ａ及び３３ｂから発生する第２パルス信号の位相差は、操作円盤部３０の回転方向に応じて変化する。制御部１２は、この２つの光センサ３３ａ及び３３ｂから入力された第２パルス信号の位相差から操作円盤部３０の回転方向を判別する。また、上述したように、制御部１２は、第２光センサ部３３から一定時間に入力された第２パルス信号のパルス数から操作円盤部３０の回転速度を判別する。制御部１２は、判別した回転速度及び回転方向に応じて、メモリ制御部７を制御する。メモリ制御部７は、ＲＡＭ８からデジタルオーディオデータを読み出す速度及び順序を制御する。
【００３２】
ＤＪが操作円盤部２８から手を離し操作が終了すると、操作円盤部３０は、円盤部２７が予め定められた速度で回転しているので、直ちに、予め定められた速度及び回転方向の回転を再開する。操作円盤部３０が予め定められた速度及び回転方向で回転を再開すると、制御部１２は、メモリ制御部７に通常再生時の読み出し速度でＲＡＭ８からデジタルオーディオデータを読み出す制御をする。
【００３３】
本実施例のＣＤプレーヤにおいて、操作円盤部３０を操作しているとき、予め定められた速度で回転している円盤部２７の回転速度が変化すると、制御部１２は、第１光センサ部３６から一定時間に入力された第１パルス信号のパルス数に応じて、円盤部２７の回転速度が予め定められた速度を保つようにモータ２２を制御する。
【００３４】
ここで、操作円盤部３０の回転方向の判別について説明する。図４は、第２光センサ部が操作円盤部３０の回転方向を判別する方法を説明する図である。図３（ｂ）に示すように、スケール部３５のスリット部３５ａを検出する第２光センサ部３３が備える光センサ３３ａ及び光センサ３３ｂが、スリット部３５ａを検出したとき、ＯＮを示す第２パルス信号を出力し、スリット部３５ａ位置にないとき、ＯＦＦを示す第２パルス信号を出力する。光センサ３３ａ及び光センサ３３ｂは、それぞれ出力される第２パルス信号の組み合わせとして、次の４通りの出力パターンが発生する。
＃１：３３ａ−ＯＮ、３３ｂ−ＯＦＦ
＃２：３３ａ−ＯＮ、３３ｂ−ＯＮ
＃３：３３ａ−ＯＦＦ、３３ｂ−ＯＮ
＃４：３３ａ−ＯＦＦ、３３ｂ−ＯＦＦ
【００３５】
ここで、光センサ３３ａは、光センサ３３ｂに対して、（ｎピッチ＋１／４ピッチ）だけ正方向に進んだ位置にセットされている場合、操作円盤部３０が正方向に回転した場合は、図４（ａ）に示すように、
＃４→＃１→＃２→＃３→＃４→＃１→・・・
の順番で上述した出力パターンが発生する。
【００３６】
一方、操作円盤部３０が逆方向に回転した場合は、図４（ｂ）に示すように、
＃１→＃４→＃３→＃２→＃１→＃４→・・・
の順番で上述した出力パターンが発生する。制御部１２は、上記の出力パターンの発生順序の違いを検出し、操作円盤部３０の回転方向を判別することができる。同様に、円盤部２７の回転方向の判別についても、第１光センサ部３６が備える２つの光センサ３６から、それぞれ出力される第１パルス信号の出力パターンから、制御部１２が円盤部２７の回転方向の判別を判別することができる。
【００３７】
本実施例のＣＤプレーヤを用いて、スクラッチ再生を行う場合、ＤＪは、手で操作円盤部３０を素早く正方向又は逆方向に回転させる操作を繰り返す。制御部１２は、第２光センサ部３３から入力される第２パルス信号から、操作円盤部３０の回転速度及び回転方向を判別する。制御部１２は、判別した回転速度及び回転方向に応じて、メモリ制御部７を制御する。メモリ制御部７は、ＲＡＭ８に記憶されたデジタルオーディオデータの読み出し速度及び読み出し順序（オーディオデータを昇順アドレスで読み出す、または、降順で読み出す）を制御する。ＲＡＭ８から読み出されたデジタルオーディオデータは、ＤＡＣ９によりアナログオーディオ信号に変換され、アンプ１０により増幅されて出力端子１１に接続したスピーカから擦れ音のような効果音として出力される。
【００３８】
本実施例のＣＤプレーヤは、操作部１４の円盤部２７が予め定められた回転速度で回転しており、円盤部２７上に載置された操作円盤部３０が円盤部２７とスリップすることなく、同じ回転速度で回転している状態から、操作円盤部３０を回転操作することにより、スクラッチ再生等の特殊再生を行うことができる構造となっている。このため、操作円盤部３０の操作終了後、操作円盤部３０は、直ちに、予め定められた速度及び回転方向で回転を再開することができるので、特殊再生から通常再生に瞬時に切り替えることができる。
【００３９】
また、制御部１２は、第１光センサ部３６から入力される第１パルス信号のパルス数から、円盤部２７の回転速度を予め定められた速度に保つようモータ２２を制御するので、操作円盤部３０の回転操作による円盤部２７の回転速度の変化を防ぐことができる。このため、操作円盤部３０の回転操作の終了後、操作円盤部３０は、直ちに、予め定められた速度で回転を再開することができる。
【００４０】
操作円盤部３０の回転操作に対する制動力の調整について説明する。図５は、本発明の一実施例であるＣＤプレーヤの操作円盤部３０の回転操作に対する制動力の調整を説明する図である。図５（ａ）は、制動力を調整する保持部３１の第１の実施例の側断図である。また、図５（ｂ）は、制動力を調整する保持部３１の第２の実施例の側断図である。図５において、図２と同様の部分には、同じ符号を付して説明を省略する。
【００４１】
図５（ａ）に示すように、回転軸３２の先端には、ネジ部５１が設けられている。第１実施例の保持部３１は、ネジ部５１により回転軸３２と固定されるため、シート部２９及び操作円盤部３０を保持し、操作円盤部３０と一体的に回転する。ＤＪは、操作円盤部３０の回転操作に対する制動力の調整をする場合、保持部３１を回す。例えば、ＤＪが保持部３１を時計方向に回すと、保持部３１は、ネジ部５１により図５（ａ）に示すＸ方向に進み、操作円盤部３０を押圧する力が強くなる。保持部３１を反時計方向に回すと、保持部３１は、ネジ部５１により図５（ａ）に示すＹ方向に進み、操作円盤部３０を押圧する力が弱くなる。ＤＪは、保持部３１を回す操作をすることにより、保持部３１が円盤部２７に対して操作円盤部３０及びシート部２９を押圧する力を調整することができる。したがって、保持部３１は、操作円盤部３０を回転操作するとき、操作円盤部３０に制動力を加える制動部となる。このため、ＤＪは、保持部３１を回す操作をすることにより、操作円盤部３０を回転操作するとき、回転操作しやすい制動力になるように調整することができる。
【００４２】
また、図５（ｂ）に示すように、第２実施例の保持部３１は、複数のバネ等の弾性部５４により調整板５２と接続されている。調整板５２は、調整ノブ５３により回転軸３２に固定されている。このため、操作円盤部３０が回転すると、保持部３１及び調整板５２は、一体的に回転する。ＤＪは、操作円盤部３０の回転操作に対する制動力の調整をする場合、調整ノブ５３を回す。例えば、ＤＪが調整ノブ５３を時計方向に回すと、調整ノブ５３は、調整板５２とともに図５（ｂ）に示すＸ方向に進むことにより、弾性体５４が操作円盤部３０を押圧する力が強くなる。調整ノブ５３を反時計方向に回すと、調整ノブ５３は、調整板５２とともに図５（ａ）に示すＹ方向に進むことにより、弾性体５４が操作円盤部３０を押圧する力が弱くなる。ＤＪは、調整ノブ５３を回す操作をすることにより、保持部３１が円盤部２７に対して操作円盤部３０及びシート部２９を押圧する力を調整することができる。したがって、保持部３１は、操作円盤部３０を回転操作するとき、操作円盤部３０に制動力を加える制動部となる。このため、ＤＪは、調整ノブ５３を回す操作をすることにより、操作円盤部３０を回転操作するとき、回転操作しやすい制動力になるように調整することができる。
【００４３】
【発明の効果】
本発明によれば、アナログレコードプレーヤと同様の操作により特殊再生を行うことができると共に、操作円盤部の回転操作に対する制動力を容易に調整することができる光ディスク再生装置を提供することができる。
【図面の簡単な説明】
【図１】本発明の実施例であるＣＤプレーヤの構成を示すブロック図。
【図２】本発明の実施例であるＣＤプレーヤが備えるジョグダイヤル部の構成を示す図。
【図３】第２光センサ部３３及びスケール部３５を説明する図。
【図４】第２光センサ部３３が操作円盤部３０の回転方向を判別する方法を説明する図。
【図５】操作円盤部３０の回転操作の回転に対する制動力の調整を説明する図。
【符号の説明】
１…ターンテーブル、２…スピンドルモータ、３…サーボ制御部、４  …光ピックアップ、５…再生アンプ、６…信号処理部、７…メモリ制御部、８…ＲＡＭ、９…ＤＡＣ、１０…アンプ、１１…出力端子、１２…制御部、１３…表示部、１４…操作部、２１…パネル、２２…モータ、２３…回転軸、２４…プーリ、２５…プーリ部、２６…ベルト、２７…円盤部、２８…プーリ部、２９…シート部、３０…操作円盤部、３１…保持部、３２…回転軸、３３…第２光センサ部、３３ａ…光センサ、３３ｂ…光センサ、３４…スケール保持部、３５…スケール、３５ａ…スリット部、３６…第１光センサ部、３７…スケール保持部、３８…スケール、３９…ワッシャー、４０…ネジ、４１…軸受け、４２…Ｅリング、４３…凸部、４４…凹部、４５…軸受け、４６…軸受け、５１…ネジ部、５２…調整板、５３…調整ノブ、５４…弾性体
【図１】
2004303295.tif 000003
【図２】
2004303295.tif 000004
【図３】
2004303295.tif 000005
【図４】
2004303295.tif 000006
【図５】
2004303295.tif 000007